(57)【特許請求の範囲】
【請求項１】
塗布液を内部に貯蔵する軸筒を備えた筆記具、化粧具等の液体塗布具であって、尾端に設けられたノック部を軸方向にノックすることにより、内部に設けられた弁を開放させてペン先から塗布液を流出させるようにしたものにおいて、
前記軸筒の後端開口には、ノック機構を保持しかつ軸筒とは別体の構成としたノック部を備えた尾栓が嵌合され、
前記ノック部は、ノック操作時に復元可能に変形する薄肉壁を有し、
前記尾栓は、前記ノック部の周囲に形成されて前記ノック部の誤動作を防止するカバー部が一体成形されたものであることを特徴とする筆記具、化粧具等の液体塗布具。
【請求項２】
前記カバー部の周壁には、後方に開放し指が挿入可能な切り欠きが設けられたことを特徴とする請求項１記載の筆記具、化粧具等の液体塗布具。
【請求項３】
前記尾栓は、前記ノック部の薄肉壁とカバー部とが一体または一体的に成形されたものであることを特徴とする請求項１または請求項２記載の筆記具、化粧具等の液体塗布具。
【発明の詳細な説明】
【０００１】
【産業上の利用分野】
本発明は、筆記具、化粧具等の液体塗布具に関する。
【０００２】
【従来の技術】
従来、インクを直に軸筒内に貯蔵した筆記具や、マニキュア液等の液体化粧料を軸筒内に貯蔵した化粧具等の液体塗布具では、インクやマニキュア液等の吐出量を制御する等の目的で軸筒内部に弁装置が装着されることが多い。この弁の開閉用のノツク機構の一つとしては、軸筒に蛇腹軸部を設け、その蛇腹軸部のスクイズ性を利用して軸方向にノックできるようにしたものがある（実開昭６２−１０９９８０号公報、実公平６−１８６１６号公報参照）。
【０００３】
【発明が解決しようとする課題】
ところで、蛇腹軸部を設けた前記従来の液体塗布具においては、前述ようにそのスクイズ性を利用しているため、蛇腹軸部の押圧力を通常使用に合うように低く設定することが望ましい。具体的には、蛇腹軸部の肉厚寸法を０．３〜０．４ｍｍ程度に設定することが好適であると考えられる。しかしながら、その蛇腹軸部が設けられる軸筒の胴部の肉厚（通常０．８ｍｍ程度）との関係上、ダイレクトブローやインジェクション・ブローによるブロー容器では軸筒を調達できず、結果として蛇腹軸部を前記肉厚寸法に成形することは困難であった。
【０００４】
本発明は、前記従来の問題点に鑑みてなされたものであって、ノック機構を備えた液体塗布具において、ノック部の押圧力を通常使用に合わせて低く設定でき、しかも、ノック部の誤動作防止機能を維持しつつノック操作を容易に行える筆記具、化粧具等の液体塗布具を提供することを目的とする。
【０００５】
【課題を解決するための手段】
本発明は、前記目的を達成するため、次のような構成を有する。
すなわち、請求項１の発明は、塗布液を内部に貯蔵する軸筒を備えた筆記具、化粧具等の液体塗布具であって、尾端に設けられたノック部を軸方向にノックすることにより、内部に設けられた弁を開放させてペン先から塗布液を流出させるようにしたものにおいて、前記軸筒の後端開口には、ノック機構を保持しかつ軸筒とは別体の構成としたノック部を備えた尾栓が嵌合され、前記ノック部は、ノック操作時に復元可能に変形する薄肉壁を有し、前記尾栓は、前記ノック部の周囲に形成されて前記ノック部の誤動作を防止するカバー部が一体成形されたものであることを特徴とする筆記具、化粧具等の液体塗布具である。
【０００６】
請求項２の発明は、前記カバー部の周壁には、後方に開放し指が挿入可能な切り欠きが設けられたことを特徴とする請求項１記載の筆記具、化粧具等の液体塗布具である。
【０００７】
請求項３の発明は、前記尾栓は、前記ノック部の薄肉壁とカバー部とが一体または一体的に成形されたものであることを特徴とする請求項１または請求項２記載の筆記具、化粧具等の液体塗布具である。
【０００８】
【作用】
請求項１の発明によれば、ノック機構を保持しかつ軸筒とは別体の構成としたノック部を備えた尾栓を前記軸筒の後端開口に嵌合し、該ノック部に復元可能に変形する薄肉壁を形成するようにしたので、使用者は、前記薄肉壁を変形させることでノック部をノックすることが可能となり、それにより前記弁を開放させて塗布液をペン先に流出させることができる。したがって、ノック機構を保持しつつ、ノック部を軸筒とは別体の構成とした本発明では、軸筒の肉厚とは無関係にノック部を成形できる。よって、前記薄肉壁を例えば０．３〜０．４ｍｍ程度に成形し、ノック部の押圧力を通常使用に合わせて低く設定することが可能となる。
【０００９】
また、請求項１の発明によれば、前記尾栓は、前記ノック部の周囲に形成されてノック部の誤動作を防止するカバー部が一体成形されたものであるため、キャップ装着時等におけるノック部の誤動作を防止することができる。また、カバー部の一体化により後部構造を簡素化して安価に構成することもできる。
【００１０】
また、請求項２の発明によれば、前記カバー部の周壁には、後方に開放し指が挿入可能な切り欠きが設けられているので、使用者は、この切り欠きにカバー部を避けて指を入れ、ノック部をノックすることができる。よって、ノック部の誤動作防止機能を維持しつつ、容易にノック操作を行うことができる。
【００１１】
【実施例】
以下、図面を参照して本発明の実施例を説明する。
図は本発明の実施例である筆記具を示したものである。
【００１２】
第１実施例は、図１および図２に示すように、インク（塗布液の一例）を内部に貯蔵する軸筒１を備えた筆記具であって、尾端に設けられたノック部１２を軸方向にノックすることにより、内部に設けられた弁を開放させてペン先から塗布液を流出させるものである。軸筒１の後端開口には、ノック部１２を一体に備えた尾栓１３が嵌合される。ノック部１２は、有底筒状を呈し、かつ、ノック操作時に復元可能に変形する薄肉壁１４を周壁に有する。
【００１３】
また、尾栓１３は、ノック部１２と、このノック部１２の周囲に形成されてノック部１２の誤動作を防止するカバー部１５とが一体成形されたものであり、このカバー部１５の周壁には、後方に開放し指が挿入可能な切り欠き１７が設けられている。
【００１４】
以下、各部の構成を詳細に説明する。先ず、軸筒１は軟質合成樹脂製で前後両端が開口している。その前端開口部には弁座２が嵌着され、さらに弁座２内にはペン先側からバネ受け３が嵌着されている。そして、弁座２の後方空間をインクタンク４となし、その内部にはインク撹拌用ボール５が遊動自在に装入されている。
【００１５】
弁棒６は、前端に太径部６ａを有し、その太径部６ａの外面に前方へ向いた段部６ｂを有する。太径部６ａの後端は、テーパ状に縮径する段部６ｃとなっており、その段部６ｃの後方には細径部６ｄが延長されている。さらに細径部６ｄの後端には、連結小径部６ｅが形成されている。そして、太径部６ａを前述した弁座２とバネ受３によって囲まれた空間部に配設することにより、その後方のテーパ状の段部６ｃを弁座２の開口縁部に対して当接・離脱可能にさせる。また、細径部６ｄは、弁座２の後端面を貫通して後方に突出し、その後端の連結小径部６ｅは、長寸の細径パイプ７の前端口に圧入され連結される。また、前端の太径部６ａの段部６ｂとその前方のバネ受３の後面との間には、弁バネ８が張架されて組み付けられており、弁棒６は、この弁バネ８の弾性力を常時受け、かつ、軸方向に移動自在となっている。
【００１６】
そして前述の弁棒６の後端に連結した細径パイプ７は、その後端が尾栓１３のノック部１２のリブ１９（後述）に連結している。一方、軸筒１の前端外周面には、軸筒１の前端縁に重合した弁座２およびバネ受３の鍔部２ａ，３ａを挟持した先軸９が螺着されている。先軸９の中心孔には、その内面の所要位置（円周方向の１２０°毎の位置）から中心に向って半径方向に突出したリブ９ａが形成され、このリブ９ａによって塗布部材としてのフェルト製等のペン芯１０が把持されている。このペン芯１０の後端面は、バネ受３の中心孔の内縁部の所要位置（円周方向の１２０°毎の位置）に設けられた突起３ｂの前端面に当接している。先軸９の軸方向の略中央位置には、中間径部９ｂが形成されており、この中間径部９ｂの内孔部にはスポンジ体１１が装着されている。そして、スポンジ体１１の中心孔には、ペン芯１０の後端とバネ受３の突起３ｂとが嵌入されると共に、スポンジ体１１の後端面は、バネ受３の前面と当接している。なお、軸筒１の前方の先軸９の外周部にはキャップ１６（図１参照）が着脱自在に嵌着される。
【００１７】
次に、尾栓１３の構造を説明する。尾栓１３は、図２に示すように、軸筒１の後端開口に嵌入する略円筒形の固定部１８と、この固定部１８の後端に前記薄肉壁１４が連結した前記ノック部１２と、固定部１８と薄肉壁１４との連結部の外周に接続した前記カバー部１５とが射出成形等で一体成形された樹脂成形品である。尾栓１３は、軸筒１の後端開口に圧入または融着等の固着手段により取り付けられる。
【００１８】
ノック部１２は有底の略円筒形を呈する。図２に示すように、ノック部１２の前部に形成された薄肉壁１４は、固定部１８側の大径部１４ａと、ノック部１２底壁側の小径部１４ｂとからなり、ノック部１２の他の部分および軸筒１の肉厚に比して薄肉に形成され、所望のスクイズ性を有する。また、ノック部１２の底壁の内面には、前記細径パイプ７に連結した棒状のリブ１９が一体成形されている。
【００１９】
カバー部１５は、その前端が固定部１８の後端外周に連結し、該連結部からノック部１２を隠蔽するように後方に向けて略円筒形状に延出される。カバー部１５の後端は、側面視（図２参照）でノック部１２の底壁よりも僅かに後方に位置している。切り欠き１７は、カバー部１５後部の円筒仮想ライン（図３参照）の軸径方向一側（図３では上側）を削除した形状である。なお、このカバー部１５後端のノック部１２の底壁に対する位置や切り欠き１７の形状は、使用条件等に応じて適宜変更可能である。
【００２０】
以上のような構成を有する第１実施例によれば、図３に示すようにノック部１２の底壁を軸方向にノツクして薄肉壁１４を変形させることにより、ノック部１２を前方に没入させ、没入した分だけ細径パイプ７を押圧して前進させ、細径パイプ７の前端に連結した弁棒６を弁バネ８を圧縮させながら前進させることにより弁座２を開口させ、インクタンク４よりペン芯１０へインクを供給させることができる。
【００２１】
一方、ノック部１２の底壁から押圧力を取り除いてノック操作を止めると、圧縮された弁バネ８の復元力が弁棒６、細径パイプ７およびリブ１９を介してノック部１２の底壁裏面に押圧力を加え、変形していた薄肉壁１４を元の形態に復帰させる。それと同時に弁棒６の段部６ｃが弁座２に当接して弁が閉じ、インクの供給が停止する。
【００２２】
したがって、第１実施例では、ノック機構を保持しつつ、ノック部１２を軸筒１とは別体の構成としたので、軸筒１の肉厚とは無関係にノック部１２を成形できる。よって、薄肉壁１４の肉厚ｔが例えば０．３〜０．４ｍｍ程度になるように尾栓１３を成形することができ、これによりノック部１２の押圧力を通常使用に合わせて低く設定できる。
【００２３】
また、尾栓１３が、誤動作防止用のカバー部１５とノック部１２とを一体成形したものであるため、ノック部１２の誤動作を防止することができる。すなわち、カバー部１５の開口面積より広い手の平等ではカバー部１５に阻止されてノック部１２を押圧することが不可能となり、また例えばキャップ１６を嵌める場合には尾栓１３を手の平等で支えていたとしても（通常この様な場合に指先等で尾栓１３側を支持するのは不自然である）、誤って薄肉壁１４が変形されることがなく不本意なる弁の開口等が防止できる。また、カバー部１５の一体化により筆記具の後部構造を簡素化して安価に構成することもできる。
【００２４】
また、ノック部１２の底壁にリブ１９が設けられているため、筆記具組み立て時に撹拌用ボール５が軸中心から外れた位置に配置される。これにより、尾栓１３と細径パイプ７との間に撹拌用ボール５が挟まれることが防止できる。すなわち、筆記具組み立て時において、尾栓１３を軸筒１の後端開口に固定し、撹拌用ボール５およびインクを軸筒１に入れた後に、ペン先を上に向けて細径パイプ７を挿入する際、撹拌用ボール５が図２および図３に示すように軸中心から外れた位置に納まるので、細径パイプ７と尾栓１３との間に撹拌用ボール５が挟まる等の不都合が生じない。
【００２５】
さらに、カバー部１５に切り欠き１７が設けられているので、使用者は、この切り欠き１７にカバー部１５を避けて指を入れ、ノック部１２をノックすることができ、カバー部１５による誤作動防止機能を維持しつつ、容易にノック操作を行うことが可能になる。
【００２６】
次に、第２実施例の筆記具について説明する。この第２実施例に係る尾栓２０のノック部２１は、図４に示すように、前記第１実施例と略同様に階段状に形成された薄肉壁２２と、この薄肉壁２２の横断面視の略中央部に棒状に一体成形された前後一対のリブ２３ａ，２３ｂと、後ろ側のリブ２３ｂに嵌着されてノック時に摺動するノックキャップ２４とを備える。なお、尾栓２０以外の構造は、前記第１実施例のものと同様である。
【００２７】
前側のリブ２３ａは、インクタンク４に向けて突出しており、前記第１実施例のリブ１９と同様の機能を有するものであり、尾栓２０と細径パイプ７との間に撹拌用ボール５が挟まれることを防止する。ノックキャップ２４は、後方に向けてやや縮径したテーパ状の成形品であり、内側に筒状のリブ２４ａを備える。ノックキャップ２４は、その筒状のリブ２４ａが前記リブ２３ｂに嵌合すると共に、カバー部１５の内周壁に突設された突起２５によって係止されていて、ノック操作時にはカバー部１５の内周壁で摺動する。
【００２８】
続いて、第３実施例を説明する。第３実施例の尾栓２６のノック部２７は、図５に示すように、前記第２実施例の薄肉壁２２および前後一対のリブ２３ａ，２３ｂに相当する部分を尾栓本体とは別部品の弾性体２８で構成したものである。この弾性体２８は、前後一対のリブ２９ａ，２９ｂと、円環状に形成された薄肉壁３０とを備える。弾性体２８は、例えばエラストマー等のゴム材で構成され、ポリプロピレン等からなる尾栓２６の本体と二色成形機などで一体的に成形される。この第３実施例によれば、薄肉壁３０を弾性体２８に設けているため、ノック部２７の作動性が良好になる。
【００２９】
なお、前記第１〜第３実施例は、本発明の好適な実施の態様であり、本発明の技術的範囲はこの実施例に何ら限定されない。例えば、本実施例では、第１実施例に示したように薄肉壁１４を大径部１４ａと小径部１４ｂとの段部で構成したり、あるいは、第３実施例のように環状の薄肉壁３０で薄肉壁を構成したが、本発明に係る薄肉壁は、従来の蛇腹軸部を薄肉に成形したものや、円筒部に環状の溝を単数または複数個形成したようなものなどでもよい。
【００３０】
【発明の効果】
以上の説明の通り、本発明によれば、筆記具、化粧具等の液体塗布具において、ノック部の押圧力を通常使用に合わせて低く設定できる。しかも、何ら注意を払う必要なくキャップの着脱等をなし得て、使い勝手を向上させる効果もある。さらに、該誤動作防止機能を維持しつつ容易にノック操作を行うこともできる。
【図面の簡単な説明】
【図１】第１実施例に係る尾栓およびキャップが外れた状態の全体斜視図である。
【図２】第１実施例に係る軸筒に尾栓が装着された状態の縦断面図である。
【図３】図２におけるＡ部拡大図である。
【図４】第２実施例の要部の拡大縦断面図である。
【図５】第３実施例の要部の拡大縦断面図である。
【符号の説明】
１      軸筒
１２    ノック部
１３    尾栓
１４    薄肉壁
１５    カバー部
１７    切り欠き
２０    尾栓
２１    ノック部
２２    薄肉壁
２６    尾栓
２７    ノック部
３０    薄肉壁
【図１】
0003611366.tif 000002
【図２】
0003611366.tif 000003
【図３】
0003611366.tif 000004
【図４】
0003611366.tif 000005
【図５】
0003611366.tif 000006